(57)【要約】【課題】ＩＣカードに対して適切な払い戻しが可能なＩＣカード処理装置を提供すること。【解決手段】ＩＣカードに記録された情報を読み取る読取手段（１１２）と、前記読取手段により読み取られた情報に基づき払い戻しの正当性を判断する判断手段（１５０）と、前記判断手段による判断結果に基づき前記ＩＣカードに対して所定の金額を払い戻す払戻手段（１１２）とを備えている。【選択図】    図３
2005025368.tif 000002
【特許請求の範囲】
【請求項１】
ＩＣカードに記録された情報を読み取る読取手段と、
前記読取手段により読み取られた情報に基づき払い戻しの正当性を判断する判断手段と、
前記判断手段による判断結果に基づき前記ＩＣカードに対して所定の金額を払い戻す払戻手段と、
を備え、
前記判断手段は、外部入力される列車運行情報に基づき払い戻しの正当性を判断することを特徴とするＩＣカード処理装置。
【請求項２】
ＩＣカードに記録された情報を読み取る読取手段と、
前記読取手段により読み取られた情報に基づき払い戻しの正当性を判断する判断手段と、
前記判断手段による判断結果に基づき前記ＩＣカードに対して所定の金額を払い戻す払戻手段と、
を備え、
前記判断手段は、外部入力される払い戻し指示に基づき払い戻し許可の判断を下すことを特徴とするＩＣカード処理装置。
【請求項３】
利用者の顔画像を撮影し顔画像情報を取得する顔画像情報取得手段を備え、
前記判断手段は、前記読取手段により読み取られた情報に含まれる顔画像情報、及び前記顔画像情報取得手段により取得された顔画像情報に基づき、前記ＩＣカードの利用者の正当性を確認した上で、払い戻し許可の判断を下すことを特徴とする請求項１に記載のＩＣカード処理装置。
【請求項４】
ＩＣカードに記録された情報を読み取り、読み取った情報に基づき入場改札判定を行い、前記ＩＣカードから所定の金額を引き去り入場情報を記録する入場改札手段と、
前記ＩＣカードに記録された情報を読み取り、読み取った情報に基づき出場改札判定を行い、必要に応じて前記ＩＣカードから不足分の金額を引き去り出場情報を記録する出場改札手段と、
前記ＩＣカードに記録された情報を読み取り、読み取った情報に基づき払い戻しの正当性を判断し、判断結果に基づき前記ＩＣカードに対して所定の金額を払い戻す払戻手段と、
を備えたことを特徴とする払い戻しシステム。
【発明の詳細な説明】
【０００１】
【発明の属する技術分野】
この発明は、鉄道などの交通機関における運賃の払い戻しに関する。
【０００２】
【従来の技術】
近年、改札処理における係員の省力化を目的として、自動改札装置が導入されている。自動改札装置は、ストアードフェアカード（ＳＦカード）、定期券、普通乗車券などの磁気券を受け取り、磁気券に記録された情報を読み取り、入場又は出場の改札可否を判定し、磁気券を返却又は回収する。自動改札装置が、乗車情報の読み取り結果に基づき、運賃不足、期限切れ、区間外乗車などの理由から改札否と判定すると、ドアの開閉を制御して乗客を駅構内に入場させない、駅構内から出場させない、又は乗り換えを許可しないようにする。
【０００３】
上記した自動改札装置は、例えば入場改札時にＳＦカードを受け取ると、ＳＦカードにチャージされている金額情報から初乗り運賃を差し引き、ＳＦカードを返却する。例えば、ＳＦカード利用客が、自動改札装置を経て誤入場してしまった場合であっても、当然ながらＳＦカードからは初乗り運賃が差し引かれてしまう。このようなケースにおける出場改札処理及び初乗り運賃の払い戻しを行なう技術が、特許文献１に開示されている。
【０００４】
【特許文献１】
特開平１１−３４５３５１号公報
【０００５】
【発明が解決しようとする課題】
特許文献１に記載の技術によると、払い戻しの正当性を自動的に判断する際、入場データのみに基づいていた。これ以外の条件については記載されていない。
【０００６】
これに対し本発明は、列車の運行状態も反映することができるようにした。
【０００７】
【課題を解決するための手段】
上記課題を解決し目的を達成するために、この発明のＩＣカード処理装置及び払い戻しシステムは、以下のように構成されている。
【０００８】
（１）この発明のＩＣカード処理装置は、ＩＣカードに記録された情報を読み取る読取手段と、前記読取手段により読み取られた情報に基づき払い戻しの正当性を判断する判断手段と、前記判断手段による判断結果に基づき前記ＩＣカードに対して所定の金額を払い戻す払戻手段とを備え、前記判断手段は外部入力される列車運行情報に基づき払い戻しの正当性を判断する。
【０００９】
（２）この発明の払い戻しシステムは、ＩＣカードに記録された情報を読み取り、読み取った情報に基づき入場改札判定を行い、前記ＩＣカードから所定の金額を引き去り入場情報を記録する入場改札手段と、前記ＩＣカードに記録された情報を読み取り、読み取った情報に基づき出場改札判定を行い、必要に応じて前記ＩＣカードから不足分の金額を引き去り出場情報を記録する出場改札手段と、前記ＩＣカードに記録された情報を読み取り、読み取った情報に基づき払い戻しの正当性を判断し、判断結果に基づき前記ＩＣカードに対して所定の金額を払い戻す払戻手段とを備えている。
【００１０】
【発明の実施の形態】
以下、この発明の実施の形態について図面を参照して説明する。
【００１１】
図１は、この発明の一例に係る払い戻しシステムの概略構成を示す図である。図１に示すように、払い戻しシステムは、ＩＣカード処理装置１、自動改札装置２、監視端末３、監視カメラ４を備えている。
【００１２】
まず、ＩＣカード処理装置１、自動改札装置２、及び監視端末３の概略構成について説明する。
【００１３】
図２は、ＩＣカード処理装置１の外観を示す斜視図であり、図３はＩＣカード処理装置の概略構成を示すブロック図である。
【００１４】
図２に示すように、ＩＣカード処理装置１は、表示部１０２、紙幣取り扱い口１０３、カード取り扱い口１０４、硬貨投入口１０５、カメラ１０６、硬貨排出口１０７、及び受け皿１０８を備えている。なお、ＩＣカード処理装置１は、磁気券を発行する券売機能を備えた装置であってもよい。
【００１５】
表示部１０２は、図３に示すＬＣＤ表示部１２１及びタッチパネル部１２２で構成されており、各種処理に応じた画面が表示され、この画面の所定位置に対するタッチ操作に対応して各種情報入力が可能となっている。紙幣取り扱い口１０３は、顧客により挿入される紙幣を受け取ったり、顧客に対してつり銭としての紙幣を返却したりする。カード取り扱い口１０４は、顧客に対して発行したＩＣカード４を提供したり、顧客から投入されるＩＣカード４を受け取ったりする。硬貨投入口１０５は、顧客により投入される硬貨を受け入れる。カメラ１０６は、ＩＣカードの発行を希望する利用客の顔画像を撮影したり、後述する払い戻し処理を希望する利用客の顔画像を撮影したりする。硬貨排出口１０７は、顧客に対してつり銭としての硬貨を返却する。受け皿１０８は、硬貨排出口１０７から返却されるつり銭としての硬貨を受け止める。
【００１６】
図３に示すように、ＩＣカード処理装置１は、主制御部１００を備えており、この主制御部１００によりＩＣカードの発行及びＩＣカードに対する金額チャージ等の処理が制御される。主制御部１００には、ユニット伝送部１１０、接客部１２０、係員操作部１３０、記憶部１４０、払い戻し判定部１５０、及び通信制御部１６０などが接続されている。
【００１７】
ユニット伝送部１１０には、カード発行ユニット１１１、カード処理ユニット１１２、紙幣処理ユニット１１３、及び硬貨処理ユニット１１４などが接続されている。接客部１２０には、上記説明したＬＣＤ表示部１２１及びタッチパネル部１２２などが接続されている。係員操作部１３０は、各種情報を表示する係員表示部、各種情報を入力する係員入力部等を備えている。通信制御部１６０は、図１に示す監視端末３と交信し、各種情報を受け渡しする。記憶部１４０は、通信制御部１６０を介して受信した各種情報を記憶する。払い戻し判断部１５０は、払い戻しの正当性を判断する。払い戻しの正当性の判断については、後に詳しく説明する。
【００１８】
カード発行ユニット１１１は、タッチパネル部１２２を介して入力される個人情報に基づき、所定の代金投入と引き換えに、乗車券媒体として利用可能なＩＣカード４を発行する。個人情報とは、例えば、氏名、電話番号、住所などの情報である。また、カード発行ユニット１１１は、タッチパネル部１２２を介して入力される個人情報に加えて、カメラ１０６の撮影により得られるカード発行希望者の顔画像情報に基づき、所定の代金投入と引き換えに、乗車券媒体として利用可能なＩＣカード４を発行するようにしてもよい。
【００１９】
カード発行ユニット１１１により発行されるＩＣカード４には、少なくともＩＤコードが記憶されている。さらに、ＩＣカード４には、上記したようにカメラ１０６の撮影により得られるカード発行希望者の顔画像情報を記憶するようにしてもよい。なお、ＩＣカード４にはＩＤコードだけを記憶し、別のサーバ等でＩＤコードと顔画像情報を対応付けて管理するようにしてもよい。いずれにしても、ＩＣカード４の利用者の顔画像情報を利用登録し、ＩＣカード４のセキュリティを高めることができる。
【００２０】
カード発行ユニット１１１により発行されるＩＣカード４は、所定の金額情報がチャージされたストアードフェア（ＳＦ）機能を有するカードであり、さらに定期券としての機能を有するカードであってもよい。また、このＩＣカード４は、例えば無線通信可能なＩＣカードであってもよい。
【００２１】
カード処理ユニット１１２は、カード取り扱い口１０４を介して投入されたＩＣカード４と交信し（又は所定位置にかざされたＩＣカード４と交信し）、ＩＣカード４に記録された情報を読み取ったり、ＩＣカード４に対して情報を記録したりする。例えば、カード処理ユニット１１２は、カード取り扱い口１０４を介して投入されたＩＣカード４に対して、利用者により投入されるチャージ金額に応じた金額情報をチャージする。さらに、このカード処理ユニット１１２は、払戻手段としても機能し、後述する払い戻し処理を実行する。
【００２２】
図４は自動改札装置２の外観を示す斜視図であり、図５は自動改札装置２の概略構成を示すブロック図である。
【００２３】
自動改札装置２は、通常、２台１組として設置され、両者の間に通行者が通行する通路が形成される。そして、この自動改札装置２は、例えば磁気券及びＩＣカードの両方を処理できる。
【００２４】
図４に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口２０１が設けられている。他端部には、投入口２０１から投入された磁気券を返却する排出口２０２が設けられている。排出口２０２の前方には、通行者や駅員などに対して各種案内を行なうための案内表示部２０３が設けられている。
【００２５】
投入口２０１の前方には、無線通信部２０４が設けられている。無線通信部２０４は、たとえば、ループ状アンテナなどで構成されており、入出場客によりかざされるＩＣカード４と無線通信を行なう。これにより、無線通信部２０４は、ＩＣカード４から送信されるデータを受信（読取）したり、ＩＣカード４に対してデータを送信（書込）したりする。
【００２６】
自動改札装置２の側面の両端部には、通行者の通行を制御する開閉動作可能なドア２０５が設けられており、通行可否の判定結果に基づき、このドア２０５が開閉制御される。さらに、自動改札装置２には、センサ取付体２０６が立設されている。センサ取付体２０６には、通行者を検知する複数の光学的なセンサが設けられている。さらに、センサ取付体２０６には、自動改札装置の動作状態（小児券の投入、無効券の投入や機器の異常など）を表示する表示灯２０７が設けられている。
【００２７】
図５に示すように、自動改札装置２は、主制御部２００、記憶部２１１、乗車券処理部２１２、改札判定部２１３、通行検知部２１４、開閉制御部２１５、表示制御部２１６、表示灯駆動制御部２１７、精算処理部２１８、通信制御部２２０などを備えている。
【００２８】
主制御部２００は、各部を制御し、改札処理に関する一連の動作を制御する。記憶部２１１は、改札判定及び精算処理に必要な運賃情報を記憶したり、ＩＣカード４又は磁気券から読み取った乗車情報等を一時記憶したりする。
【００２９】
乗車券処理部２１２は、投入口２０３を介して受け取られた磁気券を搬送したり、磁気券から乗車情報を読み取ったり、磁気券に対して必要な情報を書き込んだり、磁気券を回収したり又は返却したりする。改札判定部２１３は、磁気券又はＩＣカード４から読み取られた情報に基づき通行の可否を判定する。
【００３０】
通行検知部２１４は、自動改札装置２の所定の位置に設置された検知器からの検知出力を受け取り、利用者の通行状況を検知する。開閉制御部２１５は、改札判定結果に基づき、ドア２０５の開閉を制御する。表示制御部２１６は、例えば改札判定結果に基づき表示部２０３の表示内容を制御する。表示灯駆動制御部２１７は、磁気券又はＩＣカード４から読み取った情報に基づき表示灯２１４の駆動を制御する。例えば、小児券の投入、無効券の投入、機器の異常などの動作状態に応じて表示灯２１４の駆動を制御する。精算処理部２１８は、必要に応じてＩＣカード４から読み取られる金額情報に基づき精算処理を行なう。例えば、精算処理部２１８は、ＳＦ機能を有したＩＣカードによる入場改札時には、ＩＣカードにチャージされた金額情報から初乗り運賃を差し引く処理を行なう（実際の初乗り運賃の差し引き処理は無線通信部２０４が担う）。また、精算処理部２１８は、ＳＦ機能を有したＩＣカードによる出場改札時には、必要に応じてＩＣカードにチャージされた金額情報から不足分の運賃を差し引く処理を行なう（実際の不足分の運賃の差し引き処理は無線通信部２０４が担う）。通信制御部２２０は、図１に示す監視端末３と交信し、各種情報を交換する。
【００３１】
図６は、監視端末３の概略構成を示すブロック図である。図６に示すように、監視端末３は、主制御部３００、通信制御部３０２、記憶部３０３、表示部３０４、操作部３０５、モニタ３０６を備えている。
【００３２】
次に、上記説明した払い戻しシステムによる払い戻し処理、例えば無人駅における払い戻し処理について説明する。図１に示すように、例えば、監視カメラ４により、自動改札装置２に沿って形成された改札通路を経て、駅構内へ入場する利用客が監視されている。また、監視カメラ４により、ＩＣカード処理装置１を利用する利用客も監視されている。監視カメラ４の映像は、監視端末３のモニタ３０６に出力される。つまり、監視端末２のオペレータは、監視カメラ４の映像をモニタ３０６で確認することができる。
【００３３】
まず、図７に示すフローチャートを参照して、ＳＦカード機能を搭載したＩＣカード４によるＳＦカード機能を利用した改札処理について説明する。
【００３４】
ＳＦカード機能を搭載したＩＣカード４を所持した利用客が、駅構内への入場に際して、自動改札装置２に沿って形成された改札通路を通過しようとすると、利用客に所持されたＩＣカード４と自動改札装置２の無線通信部２０４との交信により、ＩＣカード４に記録された情報が読み取られる。改札判定部２１３がＩＣカード４から読み取った情報に基づき入場改札であると判断すると（ＳＴ１１、ＹＥＳ）、入場改札処理が実行される（ＳＴ１２）。例えば、精算処理部２１８により、ＩＣカード４にチャージされた金額情報から初乗り運賃が差し引かれ残額が計算され、無線通信部２０４によりＩＣカード４の金額情報が更新され（残額が記録され）、さらに入場情報が記録される。入場情報とは、例えば、入場駅、入場時刻等の情報である。
【００３５】
この後、利用客が、入場駅と同じ駅で出場しなければならない事態が発生したとする。例えば、列車の不通により入場駅と同じ駅で出場しなければならない事態が発生したとする。この場合、ＳＦカード機能を搭載したＩＣカード４を所持した利用客が、駅構外への出場に際して、自動改札装置２に沿って形成された改札通路を通過しようとすると、利用客に所持されたＩＣカード４と自動改札装置２の無線通信部２０４との交信により、ＩＣカード４に記録された情報が読み取られる。改札判定部２１３がＩＣカード４から読み取った情報に基づき入場駅と同駅での出場改札であると判断すると（ＳＴ１３、ＹＥＳ）、同駅での出場改札処理が実行される（ＳＴ１４）。例えば、案内表示部２０３により「払い戻し処理を受けることができます」などが案内表示され、ドア２０５が開き、利用客が駅構外へ導かれる。このとき、無線通信部２０４によりＩＣカード４に対して出場情報を記録するようにしてもよい。出場情報とは、例えば、出場駅、出場時刻等の情報である。
【００３６】
一方、改札判定部２１３がＩＣカード４から読み取った情報に基づき入場駅と異なる駅での出場改札であると判断すると（ＳＴ１３、ＮＯ）、通常の出場改札処理が実行される（ＳＴ１５）。例えば、必要に応じて、精算処理部２１８により、ＩＣカード４にチャージされた金額情報から不足分の運賃が差し引かれ残額が計算され、無線通信部２０４によりＩＣカード４の金額情報が更新され（残額が記録され）、さらに出場情報が記録される。
【００３７】
続いて、図８に示すフローチャートを参照して、上記説明した同駅での出場改札処理を受けたＩＣカード４による払い戻し処理について説明する。
【００３８】
監視端末３のオペレータは、監視カメラ５の映像をモニタ３０６で確認し、払い戻しを許可する場合、オペレータは、監視端末３の操作部３０５を介して払い戻しを許可する指示を入力する。これに対応して監視端末３はＩＣカード処理装置１に対して払い戻しを許可する情報を送信すると、ＩＣカード処理装置１が監視端末３からの払い戻しを許可する情報を受信する（ＳＴ２１、ＹＥＳ）。
【００３９】
或いは、監視端末３が上位サーバから運行情報（運行不通などの情報）を受信すると、これに対応して監視端末３はＩＣカード処理装置１に対して運行情報及び払い戻しを許可する情報を送信すると、ＩＣカード処理装置１が監視端末３からの運行情報（運行不通などの情報）及び払い戻しを許可する情報を受信する（ＳＴ２１、ＹＥＳ）。
【００４０】
その後、ＩＣカード処理装置１のカード取り扱い口１０４がＩＣカード４を受け取ると（ＳＴ２２、ＹＥＳ）、カード処理ユニット１１２がＩＣカード４に記録された情報を読み取る（ＳＴ２３）。払い戻し判断部１５０は、読み取られた情報に基づき払い戻しの正当性を判断し（ＳＴ２４）、払い戻しの正当性が確認されると（ＳＴ２５、ＹＥＳ）、カード処理ユニット１１２がＩＣカード４に対して払い戻し処理を行なう（ＳＴ２６）。
【００４１】
払い戻し処理では、ＩＣカード４による入場処理において引き去られた金額（初乗り運賃）が払い戻される。また、ＩＣカード４に出場情報が記録されていない場合は、この払い戻し処理において出場情報が記録される（ＩＣカード４による次回の入場改札が許可されるようにする）。
【００４２】
払い戻しの正当性が確認されなければ（ＳＴ２５、ＮＯ）、表示部１０２を介して異常が通知され（ＳＴ２７）、以後、係員対応となる。
【００４３】
ここで払い戻しの正当性判断について説明する。払い戻し判断部１５０は、監視端末３から提供される払い戻しを許可する情報、入場記録、出場記録、及び運行情報などに基づき払い戻し許可の判断を下す。
【００４４】
例えば、払い戻し判断部１５０は、カード処理ユニット１１２によりＩＣカードから読み取られた情報に含まれる入場記録に基づき払い戻しの正当性を判断する。入場記録には、上記したように、入場駅、入場時刻等の情報が含まれている。例えば、カード処理装置１の設置駅と入場駅が異なる場合には、不当な払い戻しと判断するようにしてもよい。また、入場時刻から所定時間以上経過している場合にも、不当な払い戻しと判断するようにしてもよい。
【００４５】
或いは、払い戻し判断部１５０は、カード処理ユニット１１２によりＩＣカードから読み取られた情報に出場記録が含まれていれば、この出場記録に基づき払い戻しの正当性を判断する。出場記録には、上記したように、出場駅、出場時刻等の情報が含まれている。例えば、カード処理装置１の設置駅と出場駅が異なる場合には、不当な払い戻しと判断するようにしてもよい。また、出場時刻から所定時間以上経過している場合にも、不当な払い戻しと判断するようにしてもよい。なお、上記した入場記録と出場記録とを組み合わせて、払い戻しの正当性を判断するようにしてもよい。
【００４６】
或いは、払い戻し判断部１５０は、監視端末３から提供される運行情報（運行不通などの情報）に基づき払い戻しの正当性を判断する。例えば、入場記録及び出場記録のうちの少なくとも一方と運行情報とに基づき、実際に運行不通になっていた時間帯に駅構内に入場していたかどうかを判断することができ、不当な払い戻しを防止することができる。
【００４７】
或いは、監視端末３側で払い戻しの正当性を判断するようにしてもよい。つまり、カード処理ユニット１１２によりＩＣカードから読み取られた情報を監視端末３に転送する。監視端末３の表示部３０４には、ＩＣカードから読み取られた情報が表示される。監視端末３のオペレータは、表示部３０４に表示されたＩＣカードの情報、つまり、入場記録や出場記録などの情報を確認し、正当な払い戻しか否かを判断する。オペレータが正当な払い戻しであると判断した場合には、操作部３０５から払い戻しの最終許可を入力する。これに対応して監視端末３からＩＣカード処理装置１に対して最終許可が指示され、ＩＣカード処理装置１による払い戻し処理が実行される。なお、ここでは、監視端末３側で払い戻しの正当性を判断するケースについて説明したが、監視端末３ではなく、ＩＣカード処理装置１の係員操作部１３０において払い戻しの正当性を判断するようにしてもよい。
【００４８】
なお、上記説明では、ＩＣカード処理装置１が監視端末３からの払い戻しを許可する情報を受信することが払い戻し処理の前提として説明したが、この発明はこれに限定されるものではない。例えば、払い戻しを許可する情報を受信しなくても（オペレータの対応がなくても）、上記したように、入場記録、出場記録、運行情報のうちの少なくとも一つの情報から、払い戻しの正当性を判断し払い戻しをするようにしてもよい。
【００４９】
或いは、カメラ１０６により払い戻しを希望する利用客の顔画像を撮影して、ＩＣカード４の利用者の正当性を確認した上で、上記したような正当性判断を下すようにしてもよい。上記説明したように、ＩＣカード４を発行する際に、カード発行ユニット１１１は、タッチパネル部１２２を介して入力される個人情報に加えて、カメラ１０６の撮影により得られるカード発行希望者の顔画像情報に基づき、所定の代金投入と引き換えに、乗車券媒体として利用可能なＩＣカード４を発行するようにしてもよい。この場合、カード発行ユニット１１１により発行されるＩＣカード４には、ＩＤコードに加えて、カメラ１０６の撮影により得られるカード発行希望者の顔画像情報が記憶される。或いは、ＩＣカード４には、ＩＤコードだけを記憶し、別のサーバ等でＩＤコードと顔画像情報を対応付けて管理するようにしてもよい。いずれにしても、ＩＣカード４の利用者の顔画像情報が利用登録される。払い戻し処理の際には、カメラ１０６により払い戻し処理を希望する利用客の顔画像を撮影する。払い戻し判断部１５０は、撮影された払い戻し処理を希望する利用客の顔画像情報と、予めＩＣカード４又は別のサーバ等に利用登録された顔画像情報とを比較し、ＩＣカード４の利用者の正当性を確認した上で、上記説明したような払い戻しの正当性判断を下すようにしてもよい。
【００５０】
上記説明したように、様々な払い戻しの正当性判断の手法、及びＩＣカードの利用者の正当性を確認する手法がある。これら手法を組み合わせることにより、不正な払い戻しを防止することができ、確実に正規の払い戻しを希望する利用客に対する払い戻しが可能となる。
【００５１】
上記説明では、主に無人駅でも適用可能な払い戻し方法について説明したが、有人駅であっても同様に適用することができる。有人駅の場合、ＩＣカード処理装置１を係員カウンター内に設置し、ＩＣカード処理装置１の利用者を係員だけに限定することもできる。この場合、払い戻しを希望する利用客は、係員カウンターに出向いてＩＣカード４を係員に手渡し、係員によるＩＣカード処理装置１の操作により払い戻し処理を受け、係員の誘導により有人通路を経て駅構外へ出場する。
【００５２】
さらに、近年は、携帯電話の普及が進んでおり、上記したＩＣカード４の機能を携帯電話に搭載することも可能である。この場合、この発明の払い戻しシステムでは、携帯電話が利用されることになり、携帯電話を利用した払い戻しが可能となる。基本的な払い戻し処理は上記説明した通りであるが、ＩＣカード処理装置１が携帯電話とのインターフェースを備え（例えば携帯電話の差込口）、このインターフェースを介して携帯電話から情報を読み取ったり、携帯電話に対して情報を送信したりする。
【００５３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５４】
【発明の効果】
この発明によれば、ＩＣカードに対して適切な払い戻しが可能なＩＣカード処理装置及び払い戻しシステムを提供できる。
【図面の簡単な説明】
【図１】この発明の一例に係る払い戻しシステムの概略構成を示す図である。
【図２】ＩＣカード処理装置の外観を示す斜視図である。
【図３】ＩＣカード処理装置の概略構成を示すブロック図である。
【図４】自動改札装置の外観を示す斜視図である。
【図５】自動改札装置の概略構成を示すブロック図である。
【図６】監視端末の概略構成を示すブロック図である。
【図７】ＩＣカードによるＳＦカード機能を利用した改札処理を説明するフローチャートである。
【図８】入場駅と同駅での出場改札処理を受けたＩＣカードによる払い戻し処理を説明するフローチャートである。
【符号の説明】
１…ＩＣカード処理装置、２…自動改札装置、３…監視端末、４…監視カメラ、１０６…カメラ、払い戻し判断部１５０
【図１】
2005025368.tif 000003
【図２】
2005025368.tif 000004
【図３】
2005025368.tif 000005
【図４】
2005025368.tif 000006
【図５】
2005025368.tif 000007
【図６】
2005025368.tif 000008
【図７】
2005025368.tif 000009
【図８】
2005025368.tif 000010